(57)【要約】【課題】送風回路の内部に、クロスフローファンと熱交換器とリアガイダとスタビライザを備える室内ユニットにおいて、吸込口から吸い込まれる空気への渦流の干渉を抑制し、クロスフローファンを通風する空気量を増加できる空気調和機を提供する。【解決手段】空気調和機１００は、送風回路１０５内に熱交換器１０６とクロスフローファン１０７とスタビライザ１０８とリアガイダ１０９を備え、クロスフローファン１０７のブレード外周円の接線のうち、舌部１０８ａと垂直に交差する外周円接線Ｌ１と、舌部１０８ａとの交点となる、先端点１１０を有し、舌部１０８ａの先端点１１０からクロスフローファン１０７側は、舌部１０８ａの先端点１１０からリアガイダ１０９側を形成する第１円弧１０８ｂを延長した仮想円Ｃ１より、クロスフローファン１０７側に突出する室内ユニット１０１を有する。【選択図】図２
2016145661.tif 000002
【特許請求の範囲】
【請求項１】
吸込口と、吹出口とを備えた本体ケーシングと、前記本体ケーシング内に設けられた送風回路と、前記送風回路に設けられたクロスフローファンと、舌部を備えたスタビライザと、リアガイダと、熱交換器とを備え、
前記舌部の断面形状は、
前記クロスフローファンの外周円の接線のうち、前記舌部と垂直に交差する直線を外周円接線とし、前記外周円接線と前記舌部との交点を先端点とすると、
前記先端点から前記クロスフローファン側は、前記先端点から前記リアガイダ側を形成する第１円弧を延長した仮想円より、前記クロスフローファン側に突出することを特徴とする、空気調和機。
【請求項２】
前記先端点から前記クロスフローファン側は第２円弧で形成され、
前記第２円弧の半径Ｒ２は、前記第１円弧の半径Ｒ１よりも大きいことを特徴とする、請求項１に記載の空気調和機。
【請求項３】
前記先端点における前記第１円弧の第１円弧接線と、前記先端点における前記第２円弧の第２円弧接線とが、同一直線となることを特徴とする、請求項２に記載の空気調和機。
【請求項４】
前記第１円弧と前記スタビライザが備える平面部との交点を連接点とし、
前記外周円接線と直交する直線のうち、前記連接点と交差する直線を連接部直交直線とし、
前記先端点と前記連接部直交直線との間に位置する部分を先端部とすると、
前記先端部は、前記外周円接線より前記クロスフローファン側の厚みは、前記外周円接線より前記リアガイダ側の厚みより大きいことを特徴とする、請求項１に記載の空気調和機。
【請求項５】
前記先端部において、
前記先端点から前記連接部直交直線に近づくにつれて、
前記外周円接線より前記クロスフローファン側の厚みと、前記外周円接線より前記リアガイダ側の厚みとの差が、大きくなることを特徴とする、請求項４に記載の空気調和機。
【発明の詳細な説明】
【技術分野】
【０００１】
本発明は、クロスフローファンを備えたエアコンなどの空気調和機に関する。
【背景技術】
【０００２】
一般に、吸込口と、吹出口を有する本体ケーシング内に通風させる送風回路を形成し、この送風回路内にクロスフローファンを備え、クロスフローファンの上流近傍に熱交換器を配し、クロスフローファンの回転によって吸込口から吸い込まれた空気を、熱交換器に通して熱交換した後、吹出口より吹き出す室内ユニットを有する空気調和機が知られている。
【０００３】
このような室内ユニットは、クロスフローファンの回転によって発生する空気の流れを形成するために、リアガイダと、スタビライザとを備える。ところで、クロスフローファン内部における空気の流れとして、クロスフローファンを通過して吹出口から吹き出される流れ（主流）と、クロスフローファンとスタビライザの間で発生して、スタビライザの先端で渦状に循環する流れ（渦流）が存在する。そして、渦流が一定周期でクロスフローファンに当たり、翼ピッチ音を発生させる。
【０００４】
ここで、従来の室内ユニットの一例として、特許文献１に開示されている空気調和機１の室内ユニット２について、図５を用いて説明する。空気調和機１は、本体ケーシング３内に通風させる送風回路４を形成し、送風回路４内に、熱交換器５と、熱交換器５に通風するクロスフローファン６とを収容し、クロスフローファン６の近傍に、リアガイダ７と、スタビライザ８とを備える。
【０００５】
図６に示すように、スタビライザ８は、クロスフローファン６に対向する面のクロスフローファン６の中心軸と直交する方向の断面形状がクロスフローファン６側に突出した円弧状であるとともに、クロスフローファン６の中心軸と平行な面で切断した断面が矩形の凸部８ａと凹部８ｂを交互に繰り返す形状である。
【０００６】
クロスフローファン６の中心軸と直交する面で切断したスタビライザ８の断面形状は、クロスフローファン６の中心軸と直交する面がクロスフローファン６の中心軸と交差する位置によって異なる。このことにより、スタビライザ８とクロスフローファン６との間に発生してスタビライザ８の先端で渦状に循環する流れである渦流を、スタビライザ８の矩形の凸部８ａと凹部８ｂに対応した異なる流路を有する複数の渦流に分断し、クロスフローファン６の羽根が異なる流路を持つ複数の渦流と、断続的に、時間差を持って横切ることで、翼ピッチ音の周波数を分散させ、聴感上耳障りな翼ピッチ音を小さすることを目論んでいる。
【先行技術文献】
【特許文献】
【０００７】
【特許文献１】特開平４−８０５３３号公報
【発明の概要】
【発明が解決しようとする課題】
【０００８】
しかしながら、特許文献１に係る空気調和機１では、スタビライザ８の凸部８ａとクロスフローファン６との間に発生する渦流Ａと、スタビライザ８の凹部８ｂとクロスフローファン６との間に発生する渦流Ｂとが発生する。渦流Ｂは渦流Ａよりもクロスフローファン６と熱交換器５との近接部に近い箇所でクロスフローファン６に当たる。渦流Ｂがクロ
スフローファン６と当たる箇所は、渦流Ａがクロスフローファン６と当たる箇所よりも空気の流れの速度は速く、風量も多い。
【０００９】
そのため、渦流Ｂによって吸込口から吸い込まれる空気への干渉が従来よりも強くなり、クロスフローファン６が通風する空気量の低下や、吸い込み空気の流れを乱すことで翼ピッチ音を増幅させる恐れがある。
【００１０】
この発明は、上記した従来の問題点に鑑みてなされたものであって、吸込口から吸い込まれる空気への干渉を抑制し、吸い込み空気の流れの乱れを緩和させ、クロスフローファンが通風する空気量を増加させることのできる空気調和機の提供を目的とする。
【課題を解決するための手段】
【００１１】
本発明の空気調和機は、吸込口と、吹出口とを備えた本体ケーシングと、前記本体ケーシング内に設けられた送風回路と、前記送風回路に設けられたクロスフローファンと、舌部を備えたスタビライザと、リアガイダと、熱交換器とを備え、前記舌部の断面形状は、前記クロスフローファンの外周円の接線のうち、前記舌部と垂直に交差する直線を外周円接線とし、前記外周円接線と前記舌部との交点を先端点とすると、前記先端点から前記クロスフローファン側は、前記先端点から前記リアガイダ側を形成する第１円弧を延長した仮想円より、前記クロスフローファン側に突出するものである。
【００１２】
このことにより、クロスフローファンを通過して吹出口から吹き出される主流は舌部の先端点からリアガイダ側を形成する第１円弧に沿って吹出口へ滑らかに流れる。一方、舌部の先端点からクロスフローファン側が、舌部の先端点からリアガイダ側を形成する第１円弧を延長した仮想円よりクロスフローファン側に突出しているため、リアガイダ側と同一円弧で形成する場合に比べ、クロスフローファンとスタビライザの間で発生してスタビライザの先端で渦状に循環する渦流は、舌部の近傍でクロスフローファンへと循環し、吸込口から吸い込まれる。これによって、渦流の熱交換器を通過してくる空気への干渉が抑制され、クロスフローファンの吸い込み空気の流れの乱れを緩和させ、クロスフローファンが通風する空気量を増加させることができる。
【発明の効果】
【００１３】
本発明に係る空気調和機は、吸込口から吸い込まれる空気への干渉を抑制し、吸い込み空気の流れの乱れを緩和させ、クロスフローファンが通風する空気量を増加させることができる。
【図面の簡単な説明】
【００１４】
【図１】本発明の実施の形態１に係る空気調和機の構成の一例を示す断面図
【図２】本発明の実施の形態１に係る空気調和機のスタビライザ近傍を示す拡大断面図
【図３】本発明の実施の形態２に係る空気調和機の構成の一例を示す断面図
【図４】本発明の実施の形態２に係る空気調和機のスタビライザ近傍を示す拡大断面図
【図５】特許文献１に係る空気調和機の室内ユニットを示す断面図
【図６】特許文献１に係る空気調和機のスタビライザを示す斜視図
【発明を実施するための形態】
【００１５】
第１の発明は、吸込口と、吹出口とを備えた本体ケーシングと、前記本体ケーシング内に設けられた送風回路と、前記送風回路に設けられたクロスフローファンと、舌部を備えたスタビライザと、リアガイダと、熱交換器とを備え、前記舌部の断面形状は、前記クロスフローファンの外周円の接線のうち、前記舌部と垂直に交差する直線を外周円接線とし
、前記外周円接線と前記舌部との交点を先端点とすると、前記先端点から前記クロスフローファン側は、前記先端点から前記リアガイダ側を形成する第１円弧を延長した仮想円より、前記クロスフローファン側に突出する空気調和機である。
【００１６】
これによれば、クロスフローファンを通過して吹出口から吹き出される主流は舌部の先端点からリアガイダ側を形成する第１円弧に沿って吹出口へ滑らかに流れる。一方、舌部の先端点からクロスフローファン側が、舌部の先端点からリアガイダ側を形成する第１円弧を延長した仮想円よりクロスフローファン側に突出しているため、リアガイダ側と同一円弧で形成する場合に比べ、クロスフローファンとスタビライザの間で発生してスタビライザの先端で渦状に循環する渦流は、舌部の近傍でクロスフローファンへと循環し、吸込口から吸い込まれる。これによって、渦流の熱交換器を通過してくる空気への干渉が抑制され、クロスフローファンの吸い込み空気の流れの乱れを緩和させ、クロスフローファンが通風する空気量を増加させることができる。
【００１７】
第２の発明は、特に、第１の発明の空気調和機において、前記先端点から前記クロスフローファン側は第２円弧で形成され、前記第２円弧の半径Ｒ２は、前記第１円弧の半径Ｒ１よりも大きいものである。
【００１８】
これによれば、クロスフローファンとスタビライザの間で発生してスタビライザの先端で渦状に循環する渦流は、舌部の先端点からクロスフローファン側の表面において淀みや細かな渦を生じることなく、舌部の近傍でクロスフローファンへと誘導することができる。このため、吸込口から吸い込まれる空気への干渉が抑制され、クロスフローファンの吸い込み空気の流れの乱れを緩和させ、クロスフローファンが通風する空気量を増加させることができる。
【００１９】
第３の発明は、特に、第２の発明の空気調和機において、先端点における第１円弧の第１円弧接線と、先端点における第２円弧の第２円弧接線とが、同一直線となることとするものである。
【００２０】
これによれば、先端点を境にクロスフローファンを通過して吹出口から吹き出される主流とクロスフローファンとスタビライザの間で発生してスタビライザの先端で渦状に循環する渦流とが、第１円弧と第２円弧とへそれぞれ滑らかに分流し、先端点近傍において空気の流れが乱れることを防ぐことができる。
【００２１】
第４の発明は、特に、第１の発明の空気調和機において、前記第１円弧と前記スタビライザが備える平面部との交点を連接点とし、前記外周円接線と直交する直線のうち、前記連接点と交差する直線を連接部直交直線とし、前記先端点と前記連接部直交直線との間に位置する部分を先端部とすると、前記先端部は、前記外周円接線より前記クロスフローファン側の厚みは、前記外周円接線より前記リアガイダ側の厚みより大きいものである。
【００２２】
これによれば、舌部の先端点からクロスフローファン側は渦流を所望の箇所で積極的にクロスフローファンへ当て得る形状で設計を行うことができる。このため、吸込口から吸い込まれる空気への干渉が抑制され、クロスフローファンの吸い込み空気の流れの乱れを緩和させ、クロスフローファンが通風する空気量を増加させることができる。
【００２３】
第５の発明は、特に、第４の発明の空気調和機において、先端部において、先端点から連接部直交直線に近づくにつれて、前記外周円接線より前記クロスフローファン側の厚みと、前記外周円接線より前記リアガイダ側の厚みとの差が、大きくなるものである。
【００２４】
これによれば、クロスフローファンとスタビライザの間で発生してスタビライザの先端
で渦状に循環する渦流は、より舌部の近傍でクロスフローファンへと誘導することができる。このため、吸込口から吸い込まれる空気への干渉が抑制され、クロスフローファンの吸い込み空気の流れの乱れを緩和させ、クロスフローファンが通風する空気量を増加させることができる。
【００２５】
以下、本発明の各実施形態について、図面を参照して詳細に説明する。なお、以下に説明する各実施形態は一例であり、本発明は各実施形態により限定されるものではない。
【００２６】
（実施の形態１）
本実施形態にかかる空気調和機１００は、冷媒配管で互いに接続された室外ユニット（図示せず）と室内ユニットとで構成されている。図１は、本実施形態に係る空気調和機１００の構成の一例を示す断面図である。また、図２は、本実施形態に係る空気調和機１００のスタビライザ１０８の近傍を示す拡大断面図である。図１、図２は、クロスフローファン１０７の中心軸と直交する面での断面を示している。
【００２７】
室内ユニット１０１は、図１に示すように、吸込口１０２と吹出口１０３とを有する本体ケーシング１０４内に通風させる送風回路１０５と、送風回路１０５の内部に熱交換器１０６とクロスフローファン１０７とスタビライザ１０８とリアガイダ１０９とを備える。
【００２８】
吸込口１０２は、本体ケーシング１０４の前面に設けられており、吹出口１０３は、本体ケーシング１０４の前面下方に設けられている。このため、送風回路１０５は、吸込口１０２から吹出口１０３へと至る間に屈曲している。
【００２９】
熱交換器１０６は、クロスフローファン１０７によって吸込口１０２から吸い込まれた空気を、熱交換によって加熱または冷却するものである。
【００３０】
クロスフローファン１０７は、吸込口１０２から取り入れられた空気を、熱交換器１０６に送風した後、吹出口１０３から室内に吹き出す送風機である。クロスフローファン１０７は、本体ケーシング１０４の横幅方向に設けられた中心軸を中心に回転自在に構成されている。クロスフローファン１０７は、端部に設けられた端板と、複数個のファン体を直列に連結した構成を有している。ファン体は、環状に配置された複数枚の翼（ブレード）を有する羽根車の少なくとも一方の端部に支持板が取り付けられた構成を有している。
【００３１】
スタビライザ１０８は、熱交換器１０６の下方であって、クロスフローファン１０７の下方前方に配置されている。リアガイダ１０９は、クロスフローファン１０７の背面側にスタビライザ１０８と対向して配置されている。
【００３２】
スタビライザ１０８とリアガイダ１０９は、クロスフローファン１０７の回転によって発生する空気の流れを形成するためのものである。スタビライザ１０８とリアガイダ１０９とは、左右壁（図示せず）とともに、送風回路１０５の吹出し側（クロスフローファン１０７の下流側）を構成している。
【００３３】
スタビライザ１０８は、クロスフローファン１０７の下流近傍に位置し、クロスフローファン１０７の前部付近に発生する渦を安定化させる舌部１０８ａと、舌部１０８ａの下流側に位置し、クロスフローファン１０７により搬送される空気の圧力回復を担うディフューザとしての平面部１０８ｄとを備えている。
【００３４】
以下、舌部１０８ａの形状について説明する。舌部１０８ａは、クロスフローファン１０７の中心軸方向に、本体ケーシング１０４、または、クロスフローファン１０７の全幅
に亘って設けられている。舌部１０８ａの主要部は、クロスフローファン１０７の中心軸と直交する方向の断面形状が、本体ケーシング１０４、または、クロスフローファン１０７の両端に亘って、同一である。つまり、舌部１０８ａの断面形状は、舌部１０８ａの主要部において同一であればよく、例えば、左右壁近傍の端部など一部の断面形状が異なっていてもよい。
【００３５】
図２に示すように、舌部１０８ａの断面は、クロスフローファン１０７の下方に向かって突出する略円弧状に形成されている。
【００３６】
舌部１０８ａを形成する円弧は主に２つの円弧により形成されている。クロスフローファン１０７のブレードの外周円の接線のうち、スタビライザ１０８の舌部１０８ａと垂直に交差する直線を外周円接線Ｌ１とし、外周円接線Ｌ１と舌部１０８ａとの交点を先端点１１０とすると、舌部１０８ａの先端点１１０から下方（リアガイダ１０９側）は第１円弧１０８ｂで形成されており、先端点１１０から上方（クロスフローファン１０７側）は第２円弧１０８ｃで形成されている。
【００３７】
舌部１０８ａの先端点１１０からクロスフローファン１０７側は、舌部１０８ａの先端点１１０からリアガイダ１０９側を形成する第１円弧１０８ｂを延長した仮想円Ｃ１より、クロスフローファン１０７側に突出している。ここで、第２円弧１０８ｃの半径Ｒ２は、第１円弧１０８ｂの半径Ｒ１よりも大きい。
【００３８】
また、先端点１１０における第１円弧１０８ｂの接線である第１円弧接線Ｌ２と、先端点１１０における第２円弧１０８ｃの接線である第２円弧接線Ｌ３とが、同一直線となっている。
【００３９】
さらに、舌部１０８ａとクロスフローファン１０７との距離が最も近づく点は、第２円弧１０８ｃ上に位置するようになっている。なお、第２円弧１０８ｃの上端は、逆の円弧（クロスフローファン１０７からみて凹形状の円弧）と、なめらかにつながっていてもよい。
【００４０】
次に、クロスフローファン１０７の回転によって発生する空気の流れについて説明する。クロスフローファン１０７はブレードの外周端を仮想的につないだ円（ブレード外周円）の略接線方向に空気を吹き出し、クロスフローファン１０７を通過して吹出口１０３から吹き出される流れ（主流）と、クロスフローファン１０７とスタビライザ１０８の間で発生して渦状に循環する流れ（渦流）とを発生させる。主流と渦流とは、舌部１０８ａの先端点１１０を境にその流れが分かれる。
【００４１】
主流のうち、スタビライザ１０８近傍の流れは、舌部１０８ａの先端点１１０からリアガイダ１０９側を形成する第１円弧１０８ｂに沿って、吹出口１０３へと流れる。そのため、第１円弧１０８ｂの半径Ｒ１は過大に大きいと、第１円弧１０８ｂに沿った空気は、吹出口１０３に対して角度を持って主流の流れを妨げる方向へと流れ、クロスフローファン１０７が通風する空気を乱すことになる。しかし、本実施形態に係る空気調和機１００においては、舌部１０８ａの断面形状を、先端点１１０を境に第１円弧１０８ｂと第２円弧１０８ｃの２つの曲率の異なる円弧により形成しているので、先端点１１０より下方の円弧に影響されることなく、第１円弧１０８ｂの曲率（仮想円Ｃ１の半径Ｒ１）を適切な寸法に設計できる。
【００４２】
一方、クロスフローファン１０７とスタビライザ１０８の間で発生する渦流は、一定周期でクロスフローファン１０７に当たり、翼ピッチ音を発生させる。しかし、本実施形態に係る空気調和機１００においては、第２円弧１０８ｃの半径Ｒ２は、第１円弧１０８ｂ
を延長した仮想円Ｃ１の半径Ｒ１よりも大きい。このことにより、舌部１０８ａの先端点１１０からクロスフローファン１０７側が、先端点１１０からリアガイダ１０９側を形成する第１円弧１０８ｂと同一円弧（半径Ｒ１の円弧）で形成される場合の渦流（図２中の破線矢印ｆの流れ）に比べ、本実施形態での渦流（図２中の破線矢印Ｆの流れ）は、舌部１０８ａの近傍でクロスフローファンへ１０７と循環する。これによって、渦流が、吸込口１０２から吸い込まれ、熱交換器１０６を通過してくる空気へ干渉することを抑制できる。このため、クロスフローファン１０７の吸い込み空気の流れの乱れを緩和し、クロスフローファン１０７が通風する空気量を増加させることができる。
【００４３】
また、本実施形態に係る空気調和機１００においては、第１円弧接線Ｌ２と第２円弧接線Ｌ３とが同一直線、つまり、第１円弧１０８ｂと第２円弧１０８ｃが先端点１１０で正接している。このため、クロスフローファン１０７がブレード外周円の略接線方向に吹き出す空気の流れに対して、舌部１０８ａは線（断面形状でいえば点）で対向する。
【００４４】
このことにより、クロスフローファン１０７がブレード外周円の略接線方向に吹き出す空気の流れのうち、スタビライザ１０８近傍の流れは舌部１０８ａの先端点１１０にのみ淀み点を有し、舌部１０８ａにおける空気の衝突による乱れや損失を最小限にとどめることができる。また、先端点を境に分かれる主流と渦流とが、第１円弧１０８ｂと第２円弧１０８ｃとへそれぞれ滑らかに分流し、先端点１１０近傍において空気の流れが乱れることを防ぐことができる。
【００４５】
なお、本実施形態に係る空気調和機１００の構成は、送風回路１０５が吸込口１０２から吹出口１０３へと至る間に屈曲する場合に特に効果を発揮する。
【００４６】
（実施の形態２）
図３は、本実施形態に係る空気調和機２００の構成の一例を示す断面図である。また、図４は、本実施形態に係る空気調和機２００のスタビライザ１０８の近傍を示す拡大断面図である。図３および図４において、実施の形態１と共通の要素については、共通の符号を付している。本実施形態においては、実施の形態１と異なる点は、舌部１０８ａの形状であるので、この点を以下に説明する。
【００４７】
実施の形態１では、舌部１０８ａのうち、先端点１１０から上方の断面形状は、曲率半径Ｒ２の第２円弧１０８ｃで形成されているのに対し、本実施の形態では、先端点１１０から上方の断面形状は、略楕円の円弧で形成されている。この円弧は、クロスフローファン１０７に向かって凸形状となる円弧である。なお、この円弧の上端は、逆の円弧（クロスフローファン１０７からみて凹形状の円弧）と、なめらかにつながっていてもよい。
【００４８】
以下、この形状の詳細を、図４を用いて説明する。図４において、第１円弧１０８ｂと、スタビライザ１０８のリアガイダ１０９側に対向する側に位置する平面部１０８ｄとの交点を、連接点１１１とする。外周円接線Ｌ１と直交する直線のうち、連接点１１１と交差する直線を連接部直交直線Ｌ４とする。そして、先端点１１０と連接部直交直線Ｌ４との間に位置する部分を、先端部１１２とする。
【００４９】
このとき、先端部１１２は、外周円接線Ｌ１より上方（クロスフローファン１０７側）の厚みが、外周円接線Ｌ１より下方（リアガイダ１０９側）の厚みより、厚くなっている。また、外周円接線Ｌ１より上方の厚みと下方の厚みとの差は、先端点１１０から前記平面部１０８ｄ側にいくにしたがって大きくなっている。
【００５０】
より詳細には、外周円接線Ｌ１上の任意点から、先端点１１０から下方（リアガイダ１０９側）に、舌部１０８ａの外形を形成する面まで下ろした垂線を仮想第１垂線Ｖ１とす
る。そして、仮想第１垂線Ｖ１の長さを、長さＨ１とする。つまり、外周円接線Ｌ１上の任意点から、仮想第１垂線Ｖ１と舌部１０８ａの外形を形成する面（つまり、舌部１０８ａの下方の表面）との交点までの長さを、長さＨ１とする。
【００５１】
また、外周円接線Ｌ１上の任意点から、先端点１１０から上方（クロスフローファン１０７側）に、舌部１０８ａの外形を形成する面まで上げた垂線を仮想第２垂線Ｖ２とする。そして、仮想第２垂線Ｖ２の長さを、長さＨ２とする。つまり、外周円接線Ｌ１上の任意点から、仮想第２垂線Ｖ２と舌部１０８ａの外形を形成する面（つまり、舌部１０８ａの上方の表面）との交点までの長さを、長さＨ２とする。
【００５２】
そうすると、舌部１０８ａの断面形状は、長さＨ２＞長さＨ１となるように形成されている。また、先端部１１２において、先端点１１０から連接部直交直線Ｌ４に近づくにつれて、長さＨ２が長さＨ１より徐々に大きくなるように形成されている。
【００５３】
クロスフローファン１０７とスタビライザ１０８の間で発生する渦流は、一定周期でクロスフローファン１０７に当たり、翼ピッチ音を発生させる。しかし、本実施形態に係る空気調和機２００においては、舌部１０８ａの先端点１１０からクロスフローファン１０７側は略楕円で形成されている。これにより、渦流を所望の箇所で積極的にクロスフローファン１０７へ当て得る寸法で設計を行うことができる。
【００５４】
また、その略楕円の長径は、第１円弧１０８ｂを延長した仮想円Ｃ１の半径Ｒ１よりも大きい。これにより、舌部１０８ａの先端点１１０からクロスフローファン１０７側が、先端点１１０からリアガイダ１０９側を形成する第１円弧１０８ｂと同一円弧（半径Ｒ１の円弧）で形成される場合の渦流（図４注の破線矢印ｆの流れ）に比べ、本実施形態での渦流（図４中の破線矢印Ｆ２の流れ）は、吸込口１０２から吸い込まれる空気へ干渉することを抑制できる。このため、クロスフローファン１０７の吸い込み空気の流れの乱れを緩和し、クロスフローファンが通風する空気量を増加させることができる。
【００５５】
また、先端部１１２において、先端点１１０から連接部直交直線Ｌ４に近づくにつれて、長さＨ１と、長さＨ２との差が、徐々に大きくなっている。このことにより、クロスフローファン１０７とスタビライザ１０８の間で循環する渦流を、舌部１０８ａの先端点１１０からクロスフローファン１０７側の表面において淀みや細かな渦を生じることなく、より舌部１０８ａの近傍でクロスフローファン１０７へと誘導することができる。これにより、渦流が、吸込口１０２から吸い込まれる空気へ干渉することを抑制できる。このため、クロスフローファン１０７の吸い込み空気の流れの乱れを緩和し、クロスフローファン１０７が通風する空気量を増加させることができる。
【００５６】
なお、本実施形態に係る空気調和機２００においては、舌部１０８ａの先端点１１０からクロスフローファン１０７側の断面形状は、略楕円で形成されているが、略楕円に限らず、長さＨ１と、長さＨ２とが、Ｈ２＞Ｈ１であり、先端部１１２において先端点１１０から連接部直交直線Ｌ４に近づくにつれて、長さＨ１と、Ｈ２との差が、徐々に大きくなることを満たす任意の形状で形成することが可能である。
【００５７】
なお、本実施形態に係る空気調和機２００の構成は、送風回路１０５が吸込口１０２から吹出口１０３へと至る間に屈曲する場合に特に効果を発揮する。
【産業上の利用可能性】
【００５８】
本発明に係る空気調和機は、クロスフローファンが通風する空気量を増加できることから、家庭用空調や業務用空調に用いるのに好適である。
【符号の説明】
【００５９】
１００、２００  空気調和機
１０１  室内ユニット
１０２  吸込口
１０３  吹出口
１０４  本体ケーシング
１０５  送風回路
１０６  熱交換器
１０７  クロスフローファン
１０８  スタビライザ
１０８ａ  舌部
１０８ｂ  第１円弧
１０８ｃ  第２円弧
１０８ｄ  平面部
１０９  リアガイダ
１１０  先端点
１１１  連接点
１１２  先端部
Ｃ１  仮想円
Ｌ１  外周円接線
Ｌ２  第１円弧接線
Ｌ３  第２円弧接線
Ｌ４  連接部直交直線
Ｒ１  第１円弧半径
Ｒ２  第２円弧半径
Ｖ１  仮想第１垂線
Ｖ２  仮想第２垂線
Ｈ１  仮想第１垂線長さ
Ｈ２  仮想第２垂線長さ
【図１】
2016145661.tif 000003
【図２】
2016145661.tif 000004
【図３】
2016145661.tif 000005
【図４】
2016145661.tif 000006
【図５】
2016145661.tif 000007
【図６】
2016145661.tif 000008